(57)【要約】【課題】  走行時の振動等に起因する結露水タンクの脱落等のおそれの無い配膳車を提供する。【解決手段】  車両本体１の側面２に扉３を設けると共に、複数のトレー４を内部に配置可能な温蔵庫５と冷蔵庫６とを具備し、冷蔵庫６内に生成した結露水を貯留する結露水タンク８を車両本体１から着脱自在に形成し、且つ、車両本体１の下部に走行用車輪９を有する配膳車において、車両本体１が、略箱型形状の結露水タンク支持荷台を備え、この結露水タンク支持荷台の左右両側側板内側に結露水タンク支持ステーを延設する一方、結露水タンク８が、その略箱型形状の左右両側側板上方外側に結露水タンク懸垂用ステーを延設し、前記結露水タンク支持ステーの上に前記結露水タンク懸垂用ステーを載置し得るので、走行時の振動等に起因する結露水タンクの脱落等を防止し得ることとなる。【選択図】図１
2005040507.tif 000002
【特許請求の範囲】
【請求項１】
車両本体の側面に開閉自在な扉を設けると共に、前記車両本体を前後方向に仕切って、食事を載置可能な複数のトレーを内部に配置可能な温蔵庫と冷蔵庫とを具備する一方、該冷蔵庫内に生成した結露水を貯留する結露水タンクを前記車両本体から着脱自在に形成し、且つ、前記車両本体の下部に走行用の車輪を有する自走式の配膳車において、前記車両本体が、少なくとも左右両側側板及び背面板を有する、前面開口の略箱型形状の結露水タンク支持荷台を備え、該結露水タンク支持荷台の前記左右両側側板内側の対称の位置に結露水タンク支持ステーを延設する一方、前記結露水タンクが、上面に開口を備えた略箱型形状を有し、該略箱型形状の左右両側側板上方外側の対称の位置に結露水タンク懸垂用ステーを延設していて、前記結露水タンク支持ステーの上に前記結露水タンク懸垂用ステーを載置し得ることを特徴とする配膳車。
【請求項２】
前記結露水タンク支持ステーが、その前面方向終端部に結露水タンク保持用ストッパーを具備することを特徴とする請求項１記載の配膳車。
【請求項３】
前記結露水タンク支持荷台の、前記結露水タンク上面より上方の前記背面板内側に、結露水タンク跳ね上がり防止用ストッパーを延設することを特徴とする請求項１または請求項２記載の配膳車。
【請求項４】
前記結露水タンクが、結露水貯留口を備えた上蓋を有することを特徴とする請求項１乃至請求項３のいずれかに記載の配膳車。
【発明の詳細な説明】
【技術分野】
【０００１】
本発明は、食事を配るときに使用する配膳車に関するものである。
【背景技術】
【０００２】
病院等で使用される配膳車として、従来より知られているものとしては、特開平８？３３５２４号公報に記載されたもの等が例示可能である。これは、底面に車輪を備えた車両本体の内部が断熱壁により前後に仕切られ、それぞれがさらに断熱壁で仕切られることにより、中央に２つの温蔵室が、両端に２つの冷蔵室が形成され、隣接する温蔵室と冷蔵室とが対となって２組設けられている。このうち冷蔵室の冷却構造は、冷蔵室の一面に多数の通気口の開口されたダクトを設けてその中に冷却器と冷却ファンとを装備し、庫内空気をダクトの下部側の通気口から冷却器側に吸い込み、冷却器を通過することで生成された冷気をダクトの上部側の通気口から冷蔵室に吹き出すといった循環流を生じさせ、これにより冷蔵室を冷却することができる。一方、このような配膳車では、冷却器の冷却能力を十分に発揮させるために、適宜、除霜運転を行うようにしており、その際、冷却器等からの除霜水、結露水等を排水する手段としては、結露水等をダクトの底面に滴下させたのち、そこに形成された排水路を通して車両本体の外底面に取り付けられた結露水タンクに溜め、結露水タンクを外して水を廃棄するか、結露水タンクに設けられたドレンコックを開いて直接に廃棄する方法が採用されていた。
【０００３】
しかし、かかる排水構造では、結露水タンクが本体の外底面に設けられているため、例えば、結露水タンクが溢れたり、ドレンコックの止水不良が生ずると、走行路に水が直接に落ちることになる。特にこのような配膳車は、上記のように病院等で多く使用されるため、良好な衛生状態を確保し、また、歩行者の保護を図る観点からも、走行面への水洩れを極力回避することが求められる。
【０００４】
かかる要望に対応するため、例えば、特開２００１−２８６３４６号公報に開示された配膳車では、断熱箱からなる車両本体内には給食を載せたトレイが出し入れ可能な冷蔵室を設け、この冷蔵室の一側面に、多数の通気口を開口したダクトを設ける一方、このダクトの上部側に冷却器を装備し、前記冷蔵室の上部側から引かれた庫内空気が前記冷却器を通過することで生成された冷気が前記ダクトの通気口から前記冷蔵室内に吹き出されるようになっており、かつ前記冷却器の下面に除霜水、結露水等を受けるドレンパンが設けられた配膳車において、前記ダクト内の下部位置に車両本体から着脱自在な結露水タンクを設置するとともに、前記ドレンパンの排水口に接続した排水ホースを前記ダクト内を通して垂下させて前記結露水タンクに臨ませる構造を有するものである。即ち、かかる構成を有する配膳車では、除霜水、結露水等が、溢れても、車両本体内の底面に零れるだけで、走行面への水洩れ等に至ることを回避しうる。さらに、この配膳車では、上記結露水タンクが取手を有する構造であるため、容易に結露水タンクを取り外し、結露水タンク内の除霜水、結露水等を容易に排水できる。さらに、特開２００１−２８６３４７号公報に開示された配膳車にも同様に取手を具備し、着脱自在な結露水タンクを有する配膳車が開示されている。
【０００５】
しかし、かかる改良を加えた配膳車においても、依然として、結露水タンクの保持が不充分であると、走行中等において車両本体から結露水タンクが脱落する等の可能性を排除できないという問題点が残されていた。
【特許文献１】特開平８−３３５２４号公報
【特許文献２】特開２００１−２８６３４６号公報
【特許文献３】特開２００１−２８６３４７号公報
【発明の開示】
【発明が解決しようとする課題】
【０００６】
本願発明は、上記従背景技術に鑑みて発明されたものであり、その課題は、走行時の振動等に起因する結露水タンクの脱落等のおそれの無い配膳車を提供することである。
【課題を解決するための手段】
【０００７】
上記課題を解決するために、請求項１に係る発明の配膳車にあっては、車両本体の側面に開閉自在な扉を設けると共に、前記車両本体を前後方向に仕切って、食事を載置可能な複数のトレーを内部に配置可能な温蔵庫と冷蔵庫とを具備する一方、該冷蔵庫内に生成した結露水を貯留する結露水タンクを前記車両本体から着脱自在に形成し、且つ、前記車両本体の下部に走行用の車輪を有する自走式の配膳車において、前記車両本体が、少なくとも左右両側側板及び背面板を有する、前面開口の略箱型形状の結露水タンク支持荷台を備え、該結露水タンク支持荷台の前記左右両側側板内側の対称の位置に結露水タンク支持ステーを延設する一方、前記結露水タンクが、上面に開口を備えた略箱型形状を有し、該略箱型形状の左右両側側板上方外側の対称の位置に結露水タンク懸垂用ステーを延設していて、前記結露水タンク支持ステーの上に前記結露水タンク懸垂用ステーを載置し得ることを特徴とするものである。
【０００８】
請求項２に係る発明の配膳車にあっては、請求項１記載の配膳車において、前記結露水タンク支持ステーが、その前面方向終端部に結露水タンク保持用ストッパーを具備することを特徴とするものである。
【０００９】
請求項３に係る発明の配膳車にあっては、請求項１または請求項２記載の配膳車において、前記結露水タンク支持荷台の、前記結露水タンク上面より上方の前記背面板内側に、結露水タンク跳ね上がり防止用ストッパーを延設することを特徴とするものである。
【００１０】
請求項４に係る発明の配膳車にあっては、請求項１乃至請求項３のいずれかに記載の配膳車において、前記結露水タンクが、結露水貯留口を備えた上蓋を有することを特徴とするものである。
【発明の効果】
【００１１】
請求項１に係る発明の配膳車にあっては、車両本体の側面に開閉自在な扉を設けると共に、前記車両本体を前後方向に仕切って、食事を載置可能な複数のトレーを内部に配置可能な温蔵庫と冷蔵庫とを具備する一方、該冷蔵庫内に生成した結露水を貯留する結露水タンクを前記車両本体から着脱自在に形成し、且つ、前記車両本体の下部に走行用の車輪を有する自走式の配膳車において、前記車両本体が、少なくとも左右両側側板及び背面板を有する、前面開口の略箱型形状の結露水タンク支持荷台を備え、該結露水タンク支持荷台の前記左右両側側板内側の対称の位置に結露水タンク支持ステーを延設する一方、前記結露水タンクが、上面に開口を備えた略箱型形状を有し、該略箱型形状の左右両側側板上方外側の対称の位置に結露水タンク懸垂用ステーを延設していて、前記結露水タンク支持ステーの上に前記結露水タンク懸垂用ステーを載置し得ることを特徴とするので、走行中の振動（特に、水平方向の振動）等による結露水タンクのガタツキを防止し得るという優れた効果を奏する。
【００１２】
請求項２に係る発明の配膳車にあっては、請求項１記載の配膳車において、前記結露水タンク支持ステーが、その前面方向終端部に結露水タンク保持用ストッパーを具備することを特徴とするので、走行中の振動（特に、水平方向の振動）等による結露水タンクの車両本体からの脱落を防止し得るという優れた効果を奏する。
【００１３】
請求項３に係る発明の配膳車にあっては、請求項１または請求項２記載の配膳車において、前記結露水タンク支持荷台の、前記結露水タンク上面より上方の前記背面板内側に、結露水タンク跳ね上がり防止用ストッパーを延設することを特徴とするので、走行中の振動（特に、上下方向の振動）等による結露水タンクの車両本体からの脱落を防止し得るという優れた効果を奏する。
【００１４】
請求項４に係る発明の配膳車にあっては、請求項１乃至請求項３のいずれかに記載の配膳車において、前記結露水タンクが、結露水貯留口を備えた上蓋を有することを特徴とするので、塵埃等の混入を低減し、走行中の振動等による結露水の結露水タンク外への溢れ出しを防止するという優れた効果を奏する。
【発明を実施するための最良の形態】
【００１５】
以下、本発明の実施形態を図面に基づき説明する。尚、本発明の配膳車は、下記の実施形態にのみ限定されるものではなく、本発明の要旨を逸脱しない範囲内において種々変更を加え得ることは勿論である。ここで、図１は、本願発明の一実施形態である配膳車の構成の概略を示すもので、（ａ）は、正面図、（ｂ）は、側面図である。図２は、同配膳車における結露水タンク支持荷台の構成の概略を示す斜視図である。図３は、同配膳車における結露水タンクの構成の概略を示すもので、（ａ）は、分解斜視図、（ｂ）は、斜視図である。図４は、同配膳車における結露水タンクと結露水タンク支持荷台との嵌合状態の概略を示す斜視図である。
【００１６】
即ち、図１に示すように、本実施形態の配膳車は、車両本体１の側面２に開閉自在な扉３を設けると共に、車両本体１を前後方向に仕切って、食事７を載置可能な複数のトレー４を内部に配置可能な温蔵庫５と冷蔵庫６とを具備する一方、この冷蔵庫６内に生成した結露水を貯留する結露水タンク８を車両本体１から着脱自在に形成し、且つ、車両本体１の下部に走行用の車輪９を有する自走式の配膳車である。なお、本実施形態では、外部より内容物が容易に看取できるように、扉３をガラス板を用いて構成したが、ガラス板の代りに金属、断熱性素材等の他の素材を用いてもよく、特に、限定されるものではない。
【００１７】
さらに、図２、図３、図４に示すように、車両本体１が、左右両側側板１０（すなわち、左側側板１０ａと右側側板１０ｂ）及び背面板１１を有する、前面開口の略箱型形状の結露水タンク支持荷台１２を備え、この結露水タンク支持荷台１２の左右両側側板１０（すなわち、左側側板１０ａと右側側板１０ｂ）内側の対称の位置に結露水タンク支持ステー１３を延設する一方、結露水タンク８が、上面に開口１４を備えた略箱型形状１５を有し、この略箱型形状１５の左右両側側板１６（すなわち、左側側板１６ａと右側側板１６ｂ）の上方外側の対称の位置に結露水タンク懸垂用ステー１７を延設していて、結露水タンク支持ステー１３の上に前記結露水タンク懸垂用ステー１７を載置し得る構造を有する。
【００１８】
その結果、走行中の振動（特に、水平方向の振動）等による結露水タンク８のガタツキを防止し得ることとなる。
【００１９】
なお、本実施形態においても、上記の従来例と略同様に、冷蔵庫６内で生成した除霜水、結露水等を集める排水ホース２６（図示せず）に接続した貯留水パイプ２０を経由して、これを結露水タンク８に導入する構造を有するものである。また、結露水タンク支持荷台１２の車両本体１への固定方法、固定部位等については、上記課題解決に寄与する限りにおいて、特に限定はないが、例えば、結露水タンク支持荷台１２の上端部に結露水タンク支持荷台懸垂用ステー２４を延設する一方（図２、図４参照）、車両本体１の底面前方に、前記結露水タンク支持荷台１２の略箱型形状を収納可能な略矩形状の穴部２５（図示せず）を設ける等して、前記結露水タンク支持荷台懸垂用ステー２４を用いて、穴部２５周縁部にネジ止めする等の公知の固定方法で固定可能である。
【００２０】
さらに、本実施形態においては、図２、図４に示すように、結露水タンク支持ステー１３が、その前面方向終端部に結露水タンク保持用ストッパー１８を具備するので、走行中の振動（特に、水平方向の振動）等による結露水タンク８の車両本体１からの脱落を防止し得ることとなる。
【００２１】
一方、本実施形態においては、図２、図４に示すように、結露水タンク支持荷台１２の、結露水タンク８の上面１９より上方の前記背面板１１の内側に、結露水タンク跳ね上がり防止用ストッパー２１を延設しているので、走行中の振動（特に、上下方向の振動）等による結露水タンクの車両本体からの脱落を防止し得ることとなる。
【００２２】
さらに、本実施形態においては、図３、図４に示すように、結露水タンク８が、結露水貯留口２２を備えた上蓋２３を有するので、塵埃等の混入を低減し、走行中の振動等による結露水の結露水タンク８の外への溢れ出しを防止し得ることとなる。
【図面の簡単な説明】
【００２３】
【図１】本願発明の一実施形態である配膳車の構成の概略を示すもので、（ａ）は、正面図、（ｂ）は、側面図である。
【図２】同配膳車における結露水タンク支持荷台の構成の概略を示す斜視図である。
【図３】同配膳車における結露水タンクの構成の概略を示すもので、（ａ）は、分解斜視図、（ｂ）は、斜視図である。
【図４】同配膳車における結露水タンクと結露水タンク支持荷台との嵌合状態の概略を示す斜視図である。
【符号の説明】
【００２４】
１    車両本体
２    側面（車両本体１）
３    扉
４    トレー
５    温蔵庫
６    冷蔵庫
７    食事
８    結露水タンク
９    車輪
１０    側板
１０ａ  側板（左側）
１０ｂ  側板（右側）
１１    背面板
１２    結露水タンク支持荷台
１３    結露水タンク支持ステー（結露水タンク支持荷１２）
１４    開口（結露水タンク８、略箱型形状１５）
１５    略箱型形状（結露水タンク８）
１６    側板
１６ａ  側板（結露水タンク８、略箱型形状１５〔左側〕）
１６ｂ  側板（結露水タンク８、略箱型形状１５〔右側〕）
１７    結露水タンク懸垂用ステー（側板１６）
１８    結露水タンク保持用ストッパー（結露水タンク支持ステー１３）
１９    上面（結露水タンク８）
２０    貯留水パイプ
２１    結露水タンク跳ね上がり防止用ストッパー（背面板１１）
２２    結露水貯留口（上蓋２３）
２３    上蓋（結露水タンク８）
２４    結露水タンク支持荷台懸垂用ステー
【図１】
2005040507.tif 000003
【図２】
2005040507.tif 000004
【図３】
2005040507.tif 000005
【図４】
2005040507.tif 000006